(57)【要約】【課題】ユーザが省エネルギーの設定となっているかを容易に認識できると共にユーザが容易に省エネルギーの設定値に設定できる映像表示装置及び省エネルギー設定の設定方法を提供する。【解決手段】映像表示装置は、映像表示を行う際の設定における省エネルギー設定値を記憶する記憶部と、電源投入時にユーザ設定値を読み出し前記省エネルギー設定値と前記ユーザ設定値を比較する比較部と、前記省エネルギー設定値と前記ユーザ設定値が異なっている場合には、表示画面に前記省エネルギー設定値に設定されていないことを表示する制御部とを有する。【選択図】図４
2011215423.tif 000002
【特許請求の範囲】
【請求項１】
省エネルギー設定値とユーザ設定値を記憶する記憶部と、
前記省エネルギー設定値と前記ユーザ設定値を比較する比較部と、
前記省エネルギー設定値と前記ユーザ設定値が異なっている場合には、表示画面に前記省エネルギー設定値に設定されていないことを表示させ、異なっていない場合には、表示画面に前記省エネルギー設定値に設定されていないことを表示させない制御部と
を有することを特徴とする映像表示装置。
【請求項２】
前記制御部は、前記表示画面に前記省エネルギー設定値と前記ユーザ設定値における消費電力値を表示することを特徴とする請求項１記載の映像表示装置。
【請求項３】
前記制御部は、前記表示画面に前記省エネルギー設定値への変更可否を選択するための選択ウィンドウを表示することを特徴とする請求項１または請求項２記載の映像表示装置。
【請求項４】
前記制御部は、前記省エネルギー設定値への変更が選択された場合に前記ユーザ設定値を省エネルギー設定値へ変更することを特徴とする請求項３記載の映像表示装置。
【請求項５】
映像表示を行う際の設定における省エネルギー設定値を記憶する記憶部と、
ユーザ設定値を読み出し前記省エネルギー設定値と前記ユーザ設定値を比較する比較部と、
前記ユーザ設定値が、前記省エネルギー設定値よりも、大きい消費電力の設定値である場合には、表示画面に前記省エネルギー設定値に設定されていないことを表示させ、大きくない消費電力の設定値である場合には、表示画面に前記省エネルギー設定値に設定されていないことを表示させない制御部と
を有することを特徴とする映像表示装置。
【請求項６】
省エネルギー設定値とユーザ設定値を記憶する記憶ステップと、
電源投入時に前記省エネルギー設定値と前記ユーザ設定値を比較する比較ステップと、
前記省エネルギー設定値と前記ユーザ設定値が異なっている場合には、表示画面に前記省エネルギー設定値に設定されていないことを表示し、前記省エネルギー設定値と前記ユーザ設定値が異なっていない場合には、表示画面に前記省エネルギー設定値に設定されていないことを表示しない制御ステップと
を有することを特徴とする省エネルギー設定の設定方法。
【請求項７】
前記制御ステップにおいて、前記表示画面に前記省エネルギー設定値と前記ユーザ設定値における消費電力値を表示することを特徴とする請求項６記載の省エネルギー設定の設定方法。
【請求項８】
前記制御ステップにおいて、前記表示画面に前記省エネルギー設定値への変更可否を選択するための選択ウィンドウを表示することを特徴とする請求項６または請求項７記載の省エネルギー設定の設定方法。
【発明の詳細な説明】
【技術分野】
【０００１】
本発明の実施形態は、省エネルギーに係る情報を表示することが可能な映像表示装置及び省エネルギー設定の設定方法に関する。
【背景技術】
【０００２】
近年、環境問題から省エネ（省エネルギー）に関するユーザの認識が高まっている。ユーザがテレビを視聴する際において、ユーザが省エネモードを設定することは可能であるものの、その設定によって実際にどの程度電力消費が抑えられているのか効果が解かり難い場合がある。
【０００３】
それに対処する方法として、省電力設定に応じた電力消費となるように電力消費を抑制して映像表示を実行する省電力処理手段を備えた映像表示装置が考案されている（例えば特許文献１参照。）。
【先行技術文献】
【特許文献】
【０００４】
【特許文献１】特開２００６−１７４０４７号公報
【発明の概要】
【発明が解決しようとする課題】
【０００５】
テレビの仕様書には消費電力の仕様値が示されているが、映像表示の設定によっては消費電力が仕様値よりも増大する場合もある。第三者が設定を変更したり、ユーザが省エネモードではない設定状態になっていることを忘れたりして、消費電力の大きな設定状態のままでテレビを視聴し続ける可能性がある。
【０００６】
本発明は上記したような事情に鑑み成されたものであって、ユーザが省エネルギーの設定となっているかを容易に認識できると共にユーザが容易に省エネルギーの設定値に設定できる映像表示装置及び省エネルギー設定の設定方法を提供することを目的とする。
【課題を解決するための手段】
【０００７】
上記目的を達成するために、実施形態の映像表示装置は、省エネルギー設定値とユーザ設定値を記憶する記憶部と、前記省エネルギー設定値と前記ユーザ設定値を比較する比較部と、前記省エネルギー設定値と前記ユーザ設定値が異なっている場合には、表示画面に前記省エネルギー設定値に設定されていないことを表示させ、異なっていない場合には、表示画面に前記省エネルギー設定値に設定されていないことを表示させない制御部とを有する。
【図面の簡単な説明】
【０００８】
【図１】映像表示装置の実施の形態の構成を示したブロック図。
【図２】リモコンの概観を示した図。
【図３】省エネルギー設定表示処理の動作手順を示したフローチャート。
【図４】メッセージの表示例を示した図。
【図５】メッセージの別の表示例を示した図。
【図６】省エネルギー設定のメッセージの表示例を示した図。
【図７】実施の形態２に係る省エネルギー設定表示処理の動作手順を示したフローチャート。
【発明を実施するための形態】
【０００９】
以下実施の形態について図面を参照しながら説明する。
【００１０】
（実施の形態１）
図１は、映像表示装置１の実施の形態の構成を示すブロック図である。アンテナ２は、放送局２５から送信された放送電波を受信するための地上デジタル放送あるいは衛星デジタル放送用のアンテナである。チューナ３は、地上デジタル放送あるいは衛星デジタル放送の放送信号の中から所望のチャンネルの放送信号を選局し、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、デジタルの映像信号及び音声信号に復調され、信号処理部４に出力される。
【００１１】
信号処理部４は、チューナ３から供給されたデジタルの映像信号及び音声信号を選択的に所定のデジタル信号処理を施して、映像処理部５および音声処理部６へ出力する。信号処理部４は、ＭＰＥＧ（Moving Picture Experts Group）エンコーダ、ＭＰＥＧデコーダ、映像音声デコーダ等の機能を有する。
【００１２】
映像処理部５は、信号処理部４から入力されたデジタルの映像データと、バスを介して転送されるデータ放送やＧＵＩ（Graphical User Interface)によるウィンドウ描画をプレーン管理して、映像データとの重ね合わせを行い、さらに表示装置７で表示可能なフォーマット（画素数、フレーム周波数、走査方式）に変換したり、表示色を任意に調整したりして、表示装置７に出力して画面８に映像を表示させる。
【００１３】
音声処理部６は、信号処理部４から入力されたデジタルの音声データを、スピーカ９で再生可能なアナログ音声信号に変換した後、スピーカ９に出力して音声を再生させる。
【００１４】
映像表示装置１は、上記した受信動作を含むその全ての動作を制御部１１によって統括的に制御されている。制御部１１はＭＰＵ（Micro Processing Unit）１２が搭載されており、バス１０を介して接続された各構成要素を制御する。
【００１５】
ＲＡＭ（Random Access Memory）１３は、制御部１１のデータ処理に必要な各種データを格納するリード／ライトメモリであり、映像データ等を格納するバッファメモリとして動作する。ＲＯＭ（Read Only Memory）１４は読出し専用メモリであり、制御部１１が実行する制御のプログラムなどを格納している。
【００１６】
フラッシュメモリ１５は、書き換え可能であり、電源を切ってもデータが消えない不揮発性の半導体メモリである。フラッシュメモリ１５は、映像表示を行う際の設定におけるメーカ推奨の省エネルギー設定値を記憶する記憶部１６ａの機能を有する。また、ユーザによる映像表示を行う際の各種映像設定や音声設定のユーザ設定値、録画や視聴予約等のデータを記憶する設定値保持部１６ｂの機能を有する。ユーザによる各種映像設定データについては一旦ＲＡＭ１３に記憶された後フラッシュメモリ１５の設定値保持部１６ｂに記憶される。
【００１７】
映像表示装置１は、記録装置１７を備えている。記録装置１７は、ＨＤＤ（Hard Disk Drive）あるいはＳＳＤ（Solid State Drive）等を含む記録装置である。記録装置１７は、データバス１０に接続しているが、記録装置１７には情報を記録再生するためのインターフェース手段が搭載されており、該インターフェース手段を介してＨＤＤあるいはＳＳＤに放送番組等を録画し、また再生する。
【００１８】
外部インターフェース１８は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）等のインターフェースであり、ＵＳＢメモリやＵＳＢ外部機器、ＨＤＤ、ＳＳＤ、ＣＤ−Ｒ／ＲＷ、ＤＶＤライター等のドライブ類を含む外部記憶装置１９が接続される。外部インターフェース１８を介して外部記憶装置１９に放送番組を記録することができる。番組を記録装置１７または外部記憶装置１９のどちらに記録するかをユーザが選択できる。
【００１９】
操作受信部２０は、操作機器２１から送信される操作信号を受信し、制御部１１に転送する。操作機器２１は、例えば、赤外線あるいはBluetooth（登録商標）等による無線通信を利用したリモコン（リモートコントローラ、remote controller）、有線式あるいは無線式キーボード、マウス等であり、操作信号を送出する。操作受信部２０は、そのリモコン、キーボード、マウス等から操作信号を受信する。
【００２０】
映像表示装置１は、送受信部２２を介してネットワーク２６に接続されている。これにより、映像表示装置１は、ＬＡＮ（Local Area Network）等のネットワーク２６に接続され、ネットワーク２６上にあるサーバ２７等の機器と送受信部２１を介して情報伝送を行なうことができる。
【００２１】
制御部１１は、消費電力比較部２３の機能を有する。消費電力比較部２３の機能は、制御部１１のＭＰＵ１２が実行するアプリケーションであり、通常はＲＯＭ１４に格納されており、使用時にはＭＰＵ１２によって実行される。消費電力比較部２３は、電源投入時に、映像表示を行う際の設定におけるユーザ設定値を設定値保持部１６ｂから読み出し、省エネルギー設定値とユーザ設定値を比較して、差異を検出する機能を有する。また、消費電力比較部２３は、電源投入時に、ユーザ設定値の消費電力と省エネルギー設定値の消費電力を比較して、差異を検出する機能を有する。
【００２２】
制御部１１は、ＧＵＩ制御部２４の機能を有する。ＧＵＩ制御部２４は、ＧＵＩデータを生成し、生成されたＧＵＩデータはバス１０を介して映像処理部５へ送信される。映像処理部５に送付されたＧＵＩデータは、映像データに重畳処理されたり、或いはＧＵＩ単独画面として処理され、画面８に表示される。
【００２３】
制御部１１は、電源が投入されると、フラッシュメモリ１５の設定値保持部１６ｂにアクセスし、そこからユーザ設定値を含む各種データを読み出す。制御部１１は、ユーザ設定値に基づいて映像を表示し音声を出力させる。映像表示を行う際の設定については、工場からの出荷時には、フラッシュメモリ１５の設定値保持部１６ｂには、メーカ推奨の省エネルギー設定値が記憶されている。つまり、映像表示を行う際の設定については、設定値保持部１６ｂのユーザ設定値は、記憶部１６ａと同じ設定値となっている。
【００２４】
その後ユーザが好みに合わせて映像表示を行う際の設定値を変更すると、設定値保持部１６ｂのユーザ設定値が変更後のユーザ設定値に書き換えられる。次に電源が投入された場合、制御部１１は、設定値保持部１６ｂにアクセスし、変更後のユーザ設定値で映像表示、音声出力を行う。
【００２５】
電源が投入されたとき、消費電力比較部２３は、設定値保持部１６ｂからユーザ設定値を読み出し、また、記憶部１６ａからメーカ推奨の省エネルギー設定値を読み出し、省エネルギー設定値とユーザ設定値を比較して、差異を検出する。
【００２６】
制御部１１は、消費電力検出部２３において省エネルギー設定値とユーザ設定値が異なっていることが検出された場合には、表示装置７の画面８に省エネルギー設定値に設定されていないことを表示する。
【００２７】
メーカ推奨の省エネルギー設定値は、画面８の輝度やコントラスト等の設定が低消費電力を確保しつつ高画質な画面表示となる設定値である。メーカ推奨の省エネルギー設定値は、フラッシュメモリ１５の記憶部１６ａに記憶されているが、フラッシュメモリ１５ではなくＲＯＭ１４に記憶させてもよい。その場合には、ＲＯＭ１４から読み出した後にＲＡＭ１３に一旦記憶させる。
【００２８】
メーカ推奨の省エネルギー設定値は、放送局２５からの放送波やネットワーク２６を介して伝送される新しい設定値に更新されることが可能である。例えば、液晶表示パネルのＬＥＤバックライトにおけるローカルディミング方式の制御方法の改良により使用量する電力の効率が上昇し、省エネルギーとなること等が考えられる。制御部１１は、新しい省エネルギー設定値を受信した場合には、フラッシュメモリ１５の記憶部１６ａに新しい省エネルギー設定値を上書きして保存する。
【００２９】
図２は、リモコン４０の実施例を示した概観図である。リモコン４０は赤外線あるいはBluetooth等による無線通信を利用して、映像表示装置１の操作受信部２０へ操作信号を送る。電源ボタン４１は、映像表示装置１の電源をオンまたはオフする。詳細には映像表示装置１を待機状態から動作状態、または動作状態から待機状態にするボタンである。
【００３０】
選局ボタン４２は、チャンネル番号を直接選択する１から１２までの番号が振られたボタンである。チャネル送りボタン４３は、チャネル番号を順送りまたは逆送りで選局するボタンであり、選局ボタン４２と同様にチャネルを選局するときに用いられる。音量調整ボタン４４は、番組を視聴するときの音量を調整するボタンである。
【００３１】
カーソルボタン４５は表示装置７の画面８に表示されたＧＵＩ画面の各種の情報ウィンドウ内のカーソルの移動や各種項目の選択ボタンの移動を行うためのボタンである。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタンで移動した先の位置または画面上のボタンを実行するときに用いられる。
【００３２】
設定表示ボタン４７は、映像表示装置１の現在の設定状態を表示したり、変更したりするときに最初に操作するボタンである。ユーザは、設定表示ボタン４７を押下して各種設定項目を表示させ、階層的に表示された詳細項目を表示させて、現状の設定状態を確認したり設定を変更したりすることができる。変更した設定値は、フラッシュメモリ１５の設定値保持部１６ｂに上書きされ記憶される。
【００３３】
図３は、省エネルギー設定表示処理の動作手順を示したフローチャートである。省エネルギー設定表示処理は、ユーザ設定値が省エネルギー設定値と異なっている場合に、画面８に省エネルギー設定値に設定されていないことを表示し、ユーザに省エネルギー設定値に変更する機会を提供する処理である。
【００３４】
映像表示装置１の電源が投入されると省エネルギー設定表示処理が開始される。Ｓ１１において、消費電力比較部２３は、設定値保持部１６ｂからユーザ設定値を読み出し、記憶部１６ａからメーカ推奨の省エネルギー設定値を読み出す。
【００３５】
Ｓ１２において、消費電力比較部２３は、省エネルギー設定値とユーザ設定値を比較し差異を検出する。Ｓ１３において、制御部１１は、省エネルギー設定値とユーザ設定値に差異があったならば、Ｓ１４へ移行し、差異がないならば終了する。省エネルギー設定値とユーザ設定値が異なっていない場合には、表示画面に省エネルギー設定値に設定されていないことを表示しない。
【００３６】
Ｓ１４において、ＧＵＩ制御部２４は、現行のユーザ設定値が省エネルギー設定値と異なっていることのメッセージと、省エネルギー設定値と現行のユーザ設定値の消費電力の違いの表示と、省エネルギー設定値へ設定変更を行うかをユーザに選択させるための確認メッセージのＧＵＩ画面を生成し、映像処理部５へ送出する。映像処理部５は、画面８にＧＵＩ画面を表示する。
【００３７】
図４は、画面８上のメッセージの表示例を示した図である。表示ウィンドウ５０の中にユーザに対して現在の設定は省エネモード（推奨設定）から外れていることを通知する。現在の設定の消費電力値がＷ１ワットであること、省エネモード（省エネルギー設定値）の消費電力値がＷ１ワットより小さいＷ０ワットであることを示している。ユーザが消費電力の違いを視覚的に認識し易いように、電球型のマークの数で違いを表現している。電球型のマークの数が多いほど消費電力が大きいことを示す。従って電球型のマークの数の違いが多いほど消費電力の大きさの違いが大きいことをユーザに視覚的に知らせることができる。
【００３８】
表示ウィンドウ５０の下段に、省エネルギー設定値へ設定変更を行うかをユーザに促すと共に確認を行うメッセージを表示し、選択ボタン５１、５２を表示する。ユーザはリモコン４０の左右方向カーソルボタン４５ａ、４５ｂを操作して「はい」選択ボタン５１、または「いいえ」選択ボタン５２を選択することができる。
【００３９】
図５は、メッセージの別の表示例を示した図である。表示ウィンドウ５３の中に省エネモードから外れていることを警告として表示している。表示ウィンドウ５３の下段には、簡単に設定を変更するか否かを選択する選択ボタン５４と５５を表示している。ユーザはリモコン４０の左右方向カーソルボタン４５ａ、４５ｂを操作して「はい」選択ボタン５４、または「いいえ」選択ボタン５５を選択することができる。
【００４０】
図３のＳ１５において、制御部１１は、省エネルギー設定値へ設定を変更することが選択されたか否かを判定する。省エネルギー設定値へ変更することが選択された場合には、Ｓ１６へ移り、選択されなかった場合は終了する。
【００４１】
Ｓ１６において、ＧＵＩ制御部２４は、省エネルギー設定値へ変更するかまたはマニュアル設定を行うかを選択させる省エネルギー設定メッセージのＧＵＩ画面を生成し、映像処理部５は、画面８にＧＵＩ画面を表示する。
【００４２】
図６は、省エネルギー設定のメッセージの表示例を示した図である。表示ウィンドウ５６の中にユーザに対してメーカの推奨設定値の選択ボタン５７とマニュアル設定の選択ボタン５８を表示し、ユーザに対してどちらかを選択するように促している。ユーザはリモコン４０の左右方向カーソルボタン４５ａ、４５ｂを操作して選択ボタン５７、または選択ボタン５８を選択することができる。
【００４３】
図３のＳ１７において、制御部１１は、省エネルギー設定値が選択されたか否かを判定する。省エネルギー設定値が選択された場合には、Ｓ１８へ移り、ユーザ設定値をリセットする。リセットとは、ユーザ設定値を省エネルギー設定値に入れ替えることを意味する。リセット後終了する。
【００４４】
省エネルギー設定値が選択されなかった場合、即ちマニュアル設定が選択された場合には、Ｓ１９へ移りマニュアル設定画面に移動する。Ｓ２０において、ユーザがマニュアル設定を終了した後終了する。
【００４５】
以上のように、映像表示を行う際の設定におけるユーザ設定値が省エネルギー設定値と異なっている場合に、映像表示装置１の電源が投入された直後に画面８に省エネルギー設定値に設定されていないことを表示し、省エネルギー設定値に変更する機会をユーザに提供することによって、ユーザが省エネルギーの設定となっているかを容易に認識できると共にユーザが容易に省エネルギーの設定値に設定することができる。
【００４６】
（実施の形態２）
図７は、実施の形態２に係る省エネルギー設定表示処理の動作手順を示したフローチャートである。この実施の形態２について、映像表示装置の構成は、図１に示す実施の形態１の映像表示装置１の各部と同一である。この実施の形態２が実施の形態１と異なる点は、実施の形態１では、制御部１１は省エネルギー設定値とユーザ設定値が異なっている場合に、画面８に省エネルギー設定値に設定されていないことを表示したが、実施の形態２では、制御部１１はユーザ設定値が省エネルギー設定値よりも大きい消費電力の設定値である場合に、画面８に省エネルギー設定値に設定されていないことを表示することである。
【００４７】
ユーザ設定値がメーカ推奨の省エネルギー設定値よりも小さな消費電力の設定値となる場合がある。メーカ推奨の省エネルギー設定値は、画面８の輝度やコントラスト等の設定が低消費電力を確保しつつ高画質な画面表示となる設定値である。ユーザがユーザ設定値として省エネルギー設定値よりも輝度設定値を小さくしたり、視聴環境の明るさに応じた自動輝度調整をオフにして常に輝度設定値を小さくしたりすることで、省エネルギー設定値よりも
消費電力が小さくなる場合がある。
【００４８】
ユーザ設定値がメーカ推奨の省エネルギー設定値よりも小さな消費電力の設定値となる場合には、省エネルギー設定値と異なっていても、画面８に省エネルギー設定値に設定されていないことを表示しない。
【００４９】
図７に示したフローチャートにおいて、Ｓ１１は図３に示したＳ１１と同様である。Ｓ３０において、消費電力比較部２３は、省エネルギー設定値とユーザ設定値の消費電力値を比較して、消費電力値の差異を検出する。
【００５０】
Ｓ３１において、制御部１１は、ユーザ設定値が省エネルギー設定値よりも大きい消費電力であったならば、Ｓ１４へ移行し、大きい消費電力でなければ終了する。ユーザ設定値が、省エネルギー設定値よりも、大きくない消費電力の設定値である場合には、表示画面に省エネルギー設定値に設定されていないことを表示しない。Ｓ１４以降は図３で示したフローチャートと同様であるので説明を省略する。
【００５１】
以上のように、映像表示を行う際の設定におけるユーザ設定値が省エネルギー設定値よりも大きい消費電力の設定値である場合に、映像表示装置１の電源が投入された後に画面８に省エネルギー設定値に設定されていないことを表示し、省エネルギー設定値に変更するきっかけをユーザに提供することによって、ユーザが省エネルギーの設定となっているかを容易に認識できると共にユーザが容易に省エネルギーの設定値に設定することができる。
【００５２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００５３】
１  映像表示装置
２  アンテナ
３  チューナ
４  信号処理部
５  映像処理部
６  音声処理部
７  表示装置
８  画面
９  スピーカ
１０  バス
１１  制御部
１２  ＭＰＵ
１３  ＲＡＭ
１４  ＲＯＭ
１５  フラッシュメモリ
１６ａ  記憶部
１６ｂ  設定値保持部
１７  記録装置
１８  外部インターフェース
１９  外部記憶装置
２０  操作受信部
２１  操作機器
２１  送受信部
２２  送受信部
２３  消費電力比較部
２４  ＧＵＩ制御部
２５  放送局
２６  ネットワーク
２７  サーバ
４０  リモコン
４５ａ、４５ｂ、４５ｃ、４５ｄ  カーソルボタン
４６  決定ボタン
４７  設定表示ボタン
５０  表示ウィンドウ
５１  選択ボタン
５２  選択ボタン
【図１】
2011215423.tif 000003
【図２】
2011215423.tif 000004
【図３】
2011215423.tif 000005
【図４】
2011215423.tif 000006
【図５】
2011215423.tif 000007
【図６】
2011215423.tif 000008
【図７】
2011215423.tif 000009